(57)【要約】【課題】  変調信号が数１００ＭＨｚ以上の高周波信号である場合でも、Ｓｉ基板を介する干渉信号の回り込みを低減して、発振器の誤動作を防止することができる高周波集積回路を得ることを目的とする。【解決手段】  ＬＯ信号を発振する発振器２と、そのＬＯ信号を用いて変調された高周波信号を増幅する送信増幅器１０とを実装するＳｉ基板１の基板厚Ｔを所定値以下に規定する。これにより、変調信号が数１００ＭＨｚ以上の高周波信号である場合でも、Ｓｉ基板１を介する干渉信号の回り込みを低減して、発振器２の誤動作を防止することができる。【選択図】        図１
2006286839.tif 000002
【特許請求の範囲】
【請求項１】
基板厚が所定値以下のシリコン基板と、上記シリコン基板上に形成され、局部発振信号を発振する発振器と、上記シリコン基板上に形成され、上記発振器から発振された局部発振信号を用いて変調された高周波信号を増幅する送信増幅器とを備えた高周波集積回路。
【請求項２】
送信増幅器から出力される高周波信号のアンバランスが所定値以下になるようにシリコン基板の基板厚が規定されていることを特徴とする請求項１記載の高周波集積回路。
【請求項３】
送信増幅器から出力される高周波信号の平均電力と、その高周波信号のピークファクタと、その高周波信号の搬送周波数と、その高周波信号のベースバンド変調周波数と、その送信増幅器における出力点と発振器におけるグランド点間の距離と、その発振器のグランド点とグランド間における寄生インダクタンスとからシリコン基板の基板厚が規定されていることを特徴とする請求項２記載の高周波集積回路。
【請求項４】
発振器のグランド点と接続されるグランドパッドがシリコン基板上に複数個形成され、複数のグランドパッドがワイヤを介してそれぞれグランドに接続されていることを特徴とする請求項１から請求項３のうちのいずれか１項記載の高周波集積回路。
【請求項５】
発振器のグランド点がシリコン基板の縁部に形成されていることを特徴とする請求項１から請求項４のうちのいずれか１項記載の高周波集積回路。
【請求項６】
発振器のグランド点がヴィアホールを介してグランドに接続されていることを特徴とする請求項１から請求項３のうちのいずれか１項記載の高周波集積回路。
【請求項７】
シリコン基板を他の基板に実装する場合、そのシリコン基板の裏面が他の基板のグランド面と接続され、その接続面が導電性のある部材で接着されていることを特徴とする請求項１から請求項６のうちのいずれか１項記載の高周波集積回路。
【発明の詳細な説明】
【技術分野】
【０００１】
この発明は、局部発振信号を発振する発振器と、その局部発振信号を用いて変調された高周波信号を増幅する送信増幅器とが同一のシリコン基板上に形成されている高周波集積回路に関するものである。
【背景技術】
【０００２】
局部発振信号を発振する発振器と、その局部発振信号を用いて変調された高周波信号を増幅する送信増幅器とを同一のシリコン基板（以下、Ｓｉ基板という）に形成している高周波集積回路では、その送信増幅器から出力される高周波信号が発振器に干渉し、その干渉信号によって発振器の特性が劣化することがある。
特に、発振器が電圧制御発振器のように、周波数可変の発振器である場合、送信増幅器から出力される高周波信号を起因とする干渉信号によって誤動作することがある。即ち、発振器から発振される局部発振信号が周波数変調されて、所望の周波数の局部発振信号を発振することができなくなることがある。
【０００３】
このような誤動作を防止するため、発振器とミキサ（発振器から発振された局部発振信号を用いてベースバンド信号を変調し、その変調信号である高周波信号を出力する回路）の間にバッファアンプを配置する方策が取られている。
このようにバッファアンプを配置する方策を取れば、信号パスを通ってノイズや干渉信号が発振器に回り込む状況を回避することができるが、Ｓｉ基板を介する干渉については抑圧することができない。
【０００４】
従来の高周波集積回路では、Ｓｉ基板を介する干渉を抑圧するため、デジタル回路からアナログ回路に入り込むデジタルノイズの対処方法を利用している。
即ち、デジタル信号の出力パッドをＳｉ基板の絶縁体上に設けることにより、その出力パッドとＳｉ基板の結合を少なくし、また、そのデジタル信号の出力方式を差動出力にすることにより、干渉信号を相殺して、Ｓｉ基板を介する信号の回り込みを低減するようにしている（例えば、特許文献１参照）。
ただし、この対処方法では、周波数がＭＨｚオーダーの信号に対しては有効であるが、数１００ＭＨｚ以上の高周波信号の場合、出力パッドをＳｉ基板の絶縁体上に設けても、周波数が高いため、その出力パッドとＳｉ基板の結合を効果的に抑えることができない。
【０００５】
【特許文献１】特開２００３−１１５５４３号公報（段落番号［０００９］から［００１０］、図２）
【発明の開示】
【発明が解決しようとする課題】
【０００６】
従来の高周波集積回路は以上のように構成されているので、変調信号がＭＨｚオーダーの信号であれば、Ｓｉ基板を介する干渉信号の回り込みを低減することができるが、変調信号が数１００ＭＨｚ以上の高周波信号である場合、Ｓｉ基板を介する干渉信号の回り込みを十分に低減することができず（特に、送信増幅器が実装されて高周波信号の電力が増幅されている場合には、干渉信号の発生が多くなり、多くの干渉信号が発振器に回り込むようになる）、発振器の誤動作を防止することができないなどの課題があった。
【０００７】
この発明は上記のような課題を解決するためになされたもので、変調信号が数１００ＭＨｚ以上の高周波信号である場合でも、Ｓｉ基板を介する干渉信号の回り込みを低減して、発振器の誤動作を防止することができる高周波集積回路を得ることを目的とする。
【課題を解決するための手段】
【０００８】
この発明に係る高周波集積回路は、局部発振信号を発振する発振器と、その局部発振信号を用いて変調された高周波信号を増幅する送信増幅器とを実装するシリコン基板の基板厚を所定値以下に規定するようにしたものである。
【発明の効果】
【０００９】
この発明によれば、局部発振信号を発振する発振器と、その局部発振信号を用いて変調された高周波信号を増幅する送信増幅器とを実装するシリコン基板の基板厚を所定値以下に規定するように構成したので、変調信号が数１００ＭＨｚ以上の高周波信号である場合でも、シリコン基板を介する干渉信号の回り込みを低減して、発振器の誤動作を防止することができる効果がある。
【発明を実施するための最良の形態】
【００１０】
実施の形態１．
図１はこの発明の実施の形態１による高周波集積回路を示す構成図であり、図において、シリコン基板であるＳｉ基板１は例えば“ＳｉＧｅＢｉ  ＣＭＯＳ”や“Ｓｉ  ＣＭＯＳ”の半導体集積回路製造技術によって、単結晶シリコンなどから形成された半導体基板である。なお、Ｓｉ基板１は送信増幅器１０から出力される高周波信号のアンバランスが２ｄＢ以下になるように基板厚Ｔが規定されている。
発振器２はＳｉ基板１上に形成され、局部発振信号であるＬＯ信号を発振する。発振器２のグランド点３は引き出し線５を介してグランドパッド４に接続され、グランドパッド４はグランドワイヤ６を介してグランド７に接続されている。
【００１１】
変調回路８は発振器２から発振されたＬＯ信号を用いて、入力パッド９から入力されたベースバンド信号を変調して、その変調信号である高周波信号を送信増幅器１０に出力する。
なお、図１では、変調回路８がＳｉ基板１上に形成されている例を示しているが、変調回路８はＳｉ基板１上に形成されている必要はなく、Ｓｉ基板１の外部に配置されていてもよい。この場合は、発振器２から発振されるＬＯ信号がＳｉ基板１の外部の変調回路８に出力され、Ｓｉ基板１の外部の変調回路８から変調信号である高周波信号が送信増幅器１０に入力される。
送信増幅器１０はＳｉ基板１上に形成され、変調回路８から出力された高周波信号を増幅し、増幅後の高周波信号を出力パッド１１に出力する。
【００１２】
図２はこの発明の実施の形態１による高周波集積回路の内部回路を示す回路図であり、図において、図１と同一符号は同一または相当部分を示すので説明を省略する。
２逓倍器２１は発振器２から発振されたＬＯ信号の周波数ｆ0を２逓倍して、周波数が２ｆ0のＬＯ信号を出力する。
ＬＯアンプ２２は２逓倍器２１から出力されたＬＯ信号を増幅し、増幅後のＬＯ信号を出力する。
変調器２３はＬＯアンプ２２による増幅後のＬＯ信号を用いて、入力パッド９から入力されたベースバンド信号を変調して、その変調信号である高周波信号を送信増幅器１０に出力する。
図３はこの発明の実施の形態１による高周波集積回路の信号系を示す説明図である。
【００１３】
次に動作について説明する。
通常のＳｉ基板の基板厚は３００μｍであるが、この実施の形態１におけるＳｉ基板１は、送信増幅器１０から出力される高周波信号のアンバランスが２ｄＢ以下になるように基板厚Ｔが規定されている。
Ｓｉ基板の基板厚が３００μｍである場合には、送信増幅器１０から出力される高周波信号がＳｉ基板１を介して発振器２に干渉し、その発振器２が誤動作する点について説明する。
【００１４】
発振器２は、周波数がｆ0のＬＯ信号を発振する。
変調回路８の２逓倍器２１は、発振器２が周波数ｆ0のＬＯ信号を発振すると、そのＬＯ信号の周波数ｆ0を２逓倍して、周波数が２ｆ0のＬＯ信号をＬＯアンプ２２に出力する。
変調回路８のＬＯアンプ２２は、２逓倍器２１から周波数２ｆ0のＬＯ信号を受けると、そのＬＯ信号を増幅し、増幅後のＬＯ信号を変調器２３に出力する。
変調回路８の変調器２３は、ＬＯアンプ２２から増幅後のＬＯ信号を受けると、そのＬＯ信号を用いて、入力パッド９から入力されたベースバンド信号を変調して、その変調信号である高周波信号を送信増幅器１０に出力する。
送信増幅器１０は、変調回路８から高周波信号を受けると、その高周波信号を増幅し、増幅後の高周波信号を出力パッド１１に出力する。
【００１５】
ここで、変調回路８の変調器２３がＡＭ変調器である場合には、図３に示すように、送信増幅器１０から出力される高周波信号の中心周波数が２ｆ0になるが、送信増幅器１０から出力される高周波信号がＳｉ基板１を介して発振器２に干渉しない場合、送信増幅器１０から周波数２ｆ0の信号の他に、周波数ｆLの信号と周波数ｆHの信号が出力される。
ｆL＝２ｆ0−ｆBB
ｆL＝２ｆ0＋ｆBB
ただし、ｆBBはベースバンド信号の周波数である。
【００１６】
しかし、同一のＳｉ基板１上に送信増幅器１０と発振器２が形成された場合、Ｓｉ基板１は絶縁体でなく、一般的にはｐ型もしくはｎ型の基板であり、インピーダンスがそれほど高くないため、高周波信号の搬送波周波数２ｆ0において、送信増幅器１０と発振器２がＳｉ基板１を介して結合する。
送信増幅器１０から出力される高周波信号の平均電力がＰｏｕｔ［ｄＢｍ］、送信増幅器１０と発振器２の結合量がＣ［ｄＢ］であるとすると、発振器２に対する干渉電力はＰｏｕｔ＋Ｃ［ｄＢｍ］になる。
【００１７】
例えば、発振器２が電圧で周波数を変動することができる発振器（ＶＣＯ）の場合、可変素子として、バラクタダイオードやＭＯＳキャパシタなどの可変容量が搭載される。
バラクタダイオードやＭＯＳキャパシタなど素子は、送信増幅器１０による干渉信号を包絡線検波するため、周波数がｆBBの信号（包絡線電圧）を発生する。
また、周波数ｆBBの信号の包絡線電力は、送信増幅器１０から出力される高周波信号のピークファクタＦｐ［ｄＢ］を考慮すると、ほぼＰｏｕｔ＋Ｃ＋Ｆｐになる。
発振器２のグランド点３とグランド７の間には、グランドパッド４に対する引き出し線５とグランドワイヤ６による寄生インダクタンスＬｔｏｔａｌが存在するため、発振器２のグランド点３のインピーダンスに応じた包絡線電圧が発生する。
発振器２は、電圧により発振周波数が変化するため、上記のようにして包絡線検波された周波数ｆBBの信号により、発振器２から発振されるＬＯ信号がＦＭ変調されることになる。
【００１８】
その結果、発振器２からは、周波数ｆ0のＬＯ信号の他に、周波数ｆBBの整数倍の周波数離れ信号が出力される。
また、周波数ｆBBの整数倍の周波数離れ信号は、ＬＯ信号がＦＭ変調されることにより発生する信号であるため、周波数が高い側と低い側に、位相が相互に１８０度異なる信号として複数発生することになる。
また、周波数が高い側の周波数離れ信号と、周波数が低い側の周波数離れ信号は、２逓倍器２１により周波数が２逓倍されるため、ＬＯ信号は、２ｆ0を中心にして、２ｆBBの整数倍の周波数離れ信号を含むことになる。
【００１９】
変調器２３から出力される高周波信号は、図３に示すように、周波数２ｆ0，ｆL，ｆHを中心とする信号が足し合わされた信号になるが、上記の通り、ＬＯ信号は２ｆ0を中心にして、２ｆBBの整数倍の周波数離れ信号を含む信号であるため、周波数２ｆ0の高い側と低い側でレベルが異なるアンバランスな信号になる。
なお、送信増幅器１０から出力される高周波信号も、変調器２３から出力された高周波信号を増幅した信号であるため同様のスペクトルになる。
【００２０】
図４は図２の高周波集積回路の出力スペクトルを示す説明図である。
ただし、Ｓｉ基板１の厚さは通常の３００μｍであり、発振器２の発振周波数は２．９ＧＨｚ（高周波信号の搬送波周波数５．８ＧＨｚ）である。
また、変調の種類はＡＳＫ変調であり、１Ｍｓｐｓの信号であるためピークファクタは約３ｄＢである。測定条件は平均出力電力７ｄＢｍである。
図４から明らかなように、中心周波数５．８ＧＨｚから高い側と低い側に発生している１ＭＨｚの周波数離れ信号により、レベルが６．３ｄＢのアンバランスが発生している。
【００２１】
図５は平均出力電力とアンバランスの対応関係を示す説明図であり、図５にはアンバランスの測定結果と計算結果を表記している。
アンバランスの計算は、結合量Ｃの結合が送信増幅器１０と発振器２の間に存在する場合において、送信増幅器１０の出力波形が理想的なＡＭ変調とＦＭ変調が組み合わせたものとして計算している。
ただし、発振器２の感度が５００［ＭＨｚ／Ｖ］、発振器２のグランド点３のインピーダンスが５０Ω（Ｌｔｏｔａｌ≒１．４ｎＨ、ｆＲＦ＝５．８ＧＨｚ）であるとしている。
【００２２】
結合量Ｃは、電磁界解析を用いて求めている。
図６は結合量Ｃを求める電磁界解析のモデルを示す説明図である。
Ｓｉ基板１の大きさは２．０ｍｍ×２．５ｍｍであり、出力パッド１１と発振器２におけるグランド点３間の距離は２．３ｍｍである。
基板厚Ｔを５０〜４００μｍの間で変化させて、出力パッド１１とグランド点３間の結合量Ｃを計算している。
【００２３】
図７は基板厚Ｔと結合量Ｃの対応関係の計算結果を示す説明図であり、周波数が５．８ＧＨｚの場合の計算結果である。
この計算結果より、通常の基板厚３００μｍの場合の結合量Ｃは−６７ｄＢになる。アンバランスの平均出力電力依存性の計算においては、この値を用いている。
図５の計算結果と測定結果を比較すると、よく一致しており、図６に示す結合のモデルが妥当であり、Ｓｉ基板１を介しての結合が主原因であることがわかる。
図５の測定結果より、Ｓｉ基板１の基板厚Ｔが３００μｍでは、結合が大きいことによって、周波数の高い側と低い側のアンバランスが６．３ｄＢと大きく、信号に悪影響を与えていることがわかる。
【００２４】
図８は結合量とアンバランスの対応関係の計算結果を示す説明図である。
計算条件は、平均出力電力が７ｄＢｍであり、それ以外の条件は図５の計算結果と同条件である。
図８から明らかなように、結合量を抑えることにより、アンバランスという悪影響を抑えることができる。
また、図７の計算結果より、Ｓｉ基板１の基板厚Ｔを薄くする程、結合量Ｃが小さくなることがわかる。
そこで、この実施の形態１では、ＡＳＫ変調の場合、周波数の高い側と低い側のアンバランスが２ｄＢ以下であれば、特性に影響がないので、送信増幅器１０から出力される高周波信号のアンバランスが２ｄＢ以下になるまで、Ｓｉ基板１の基板厚Ｔを薄くするようにしている。
Ｓｉ基板１の基板厚Ｔの具体的な数値について、実施の形態２以降で説明する。
【００２５】
以上で明らかなように、この実施の形態１によれば、ＬＯ信号を発振する発振器２と、そのＬＯ信号を用いて変調された高周波信号を増幅する送信増幅器１０とを実装するＳｉ基板１の基板厚Ｔを所定値以下に規定するように構成したので、変調信号が数１００ＭＨｚ以上の高周波信号である場合でも、Ｓｉ基板１を介する干渉信号の回り込みを低減して、発振器２の誤動作を防止することができる効果を奏する。
【００２６】
なお、この実施の形態１では、変調器２３がベースバンド信号をＡＭ変調するものについて示したが、送信増幅器１０から出力される高周波信号の包絡線が変動するような変調であれば、どの場合について同様な現象が起きる。
したがって、変調器２３における変調方式はＡＭ変調に限るものではなく、例えば、ＡＳＫ変調、ＱＰＳＫ変調、ＨＰＳＫ変調、１／４シフトＱＰＳＫ変調、１６ＱＡＭ変調、６４ＱＡＭ変調などの変調方式を用いても適用することができる。
また、変調器２３がＯＦＤＭ信号、マルチキャリア信号などを変調信号を出力するようにしてもよい。
【００２７】
また、この実施の形態１では、２逓倍器２１が発振器２から発振された周波数ｆ0のＬＯ信号を２逓倍するものについて示したが、２逓倍せずに周波数ｆ0のＬＯ信号を変調器２３に出力するようにしてもよく、同様の効果を奏することができる。
【００２８】
この実施の形態１では、送信増幅器１０から出力される高周波信号のアンバランスを基準にしてＳｉ基板１の基板厚Ｔを規定するものについて示したが、発振器２から発振される信号のアンバランスを基準にしてＳｉ基板１の基板厚Ｔを規定するようにしてもよい。
なお、発振器２から発振される信号のアンバランスはＣＮに起因して発生するので、ＣＮを基準にしてＳｉ基板１の基板厚Ｔを規定するようにしてもよい。
【００２９】
実施の形態２．
上記実施の形態１では、送信増幅器１０から出力される高周波信号のアンバランスが２ｄＢ以下になるまで、Ｓｉ基板１の基板厚Ｔを薄くするものについて示したが、この実施の形態２では、送信増幅器１０から出力される高周波信号の平均電力Ｐｏｕｔ［ｄＢｍ］と、その高周波信号のピークファクタＦｐ［ｄＢ］と、その高周波信号の搬送周波数ｆRF［ＧＨｚ］と、その高周波信号のベースバンド変調周波数ｆBB［ＭＨｚ］と、その送信増幅器１０における出力パッド１１と発振器２におけるグランド点３間の距離Ｒ［ｍｍ］と、その発振器２のグランド点３とグランド７間における寄生インダクタンスＬｔｏｔａｌとに基づいて、Ｓｉ基板１の基板厚Ｔを具体的に規定するものについて説明する。
【００３０】
上述したように、ＡＳＫ変調の場合、周波数の高い側と低い側のアンバランスが２ｄＢ以下であれば、特性に影響がないと考えられるが、図８に示すように、アンバランスを２ｄＢ以下にするためには、結合量Ｃが−７８ｄＢ以下である必要があることがわかる。
また、図７の計算結果より、結合量を−７８ｄＢ以下とするためには、Ｓｉ基板１の基板厚Ｔが１３５μｍ以下である必要があることがわかる。
したがて、Ｓｉ基板１の基板厚Ｔが１３５μｍ以下であれば、送信増幅器１０と発振器２の結合による悪影響を抑えることができる。
【００３１】
ただし、結合量Ｃは、Ｓｉ基板１の基板厚Ｔの他にも、送信増幅器１０における出力パッド１１と発振器２におけるグランド点３間の距離Ｒや、高周波信号の搬送周波数ｆRF（＝２ｆ0）にも依存する。
Ｓｉ基板１の基板厚Ｔに関しては、図７に示すように、基板厚Ｔが半分になれば、結合量Ｃが６ｄＢ減少する。
距離Ｒに関しては、伝搬ロスと考えると、距離Ｒが２倍になれば、結合量Ｃが６ｄＢ減少すると考えられる。
高周波信号の搬送周波数ｆRFに関しては、搬送周波数ｆRFが半分になれば、結合量Ｃが６ｄＢ減少する。
【００３２】
また、同じ結合量Ｃでも、高周波信号のベースバンド変調周波数ｆBBによって、アンバランスの大きさが変化し、ＦＭ変調の場合に発生する変調波のレベルがベースバンド変調周波数ｆBBに反比例する。したがって、高周波信号のベースバンド変調周波数ｆBBが２倍になれば、結合量Ｃが１／２倍になるのと等価になる。
また、発振器２のグランド点３のインピーダンスによって、干渉による包絡線電力が同じであっても、発生する包絡線電圧が異なる。グランド点３のインピーダンスがＬｔｏｔａｌ＝１．４ｎＨから５０Ωとしている。したがって、インダクタンスが１／２になれば電圧は１／２となり、結合量Ｃが６ｄＢ小さくなるのと等価になる。
また、包絡線電力は、高周波信号の平均電力ＰｏｕｔやピークファクタＦｐが増加すれば、それに比例して大きくなる。
【００３３】
したがって、送信増幅器１０から出力される高周波信号のアンバランスを２ｄＢ以下にするためには、高周波信号の平均電力Ｐｏｕｔ［ｄＢｍ］やピークファクタＦｐ［ｄＢ］などを考慮して、Ｓｉ基板１の基板厚Ｔを規定する必要があり、下記の不等式（１）を満足すれば、送信増幅器１０から出力される高周波信号のアンバランスを２ｄＢ以下にすることができる。
例えば、距離Ｒ＝２．３ｍｍ、搬送波周波数ｆRF＝５．８ＧＨｚ、ベースバンド周波数ｆBB＝１ＭＨｚ、平均電力Ｐｏｕｔ＝７ｄＢｍ、ピークファクタＦｐ＝３ｄＢであれば、基板厚Ｔ＝１３５μｍになる。
Ｔ  ＜  １３５／２N  ［μｍ］                                    （１）
Ｎ＝［（Ｐｏｕｔ−７）＋（Ｆｐ−３）＋（６ｆRF／５．８）−（６Ｒ／２．３）
−６ｆBB＋（６Ｌｔｏｔａｌ／１．４）］／６
【００３４】
これにより、送信増幅器１０から出力される高周波信号のアンバランスを２ｄＢ以下にすることができるので、変調信号が数１００ＭＨｚ以上の高周波信号である場合でも、Ｓｉ基板１を介する干渉信号の回り込みを低減して、発振器２の誤動作を防止することができる効果を奏する。
【００３５】
実施の形態３．
上記実施の形態１，２では、発振器２の後段に２逓倍器２１が設けられているものについて示したが、図９に示すように、２逓倍器２１を設けずに、発振器２から発振される周波数ｆ0のＬＯ信号をＬＯアンプ２２に出力するようにしてもよい。
【００３６】
変調回路８の変調器２３がＡＭ変調器である場合には、図９に示すように、送信増幅器１０から出力される高周波信号の中心周波数がｆ0になるが、送信増幅器１０から出力される高周波信号がＳｉ基板１を介して発振器２に干渉しない場合、送信増幅器１０から周波数ｆ0の信号の他に、周波数ｆLの信号と周波数ｆHの信号が出力される。
ｆL＝ｆ0−ｆBB
ｆL＝ｆ0＋ｆBB
ただし、ｆBBはベースバンド信号の周波数である。
【００３７】
しかし、同一のＳｉ基板１上に送信増幅器１０と発振器２が形成された場合、Ｓｉ基板１は絶縁体でなく、一般的にはｐ型もしくはｎ型の基板であり、インピーダンスがそれほど高くないため、高周波信号の搬送波周波数ｆ0において、送信増幅器１０と発振器２がＳｉ基板１を介して結合する。
送信増幅器１０から出力される高周波信号の平均電力がＰｏｕｔ［ｄＢｍ］、送信増幅器１０と発振器２の結合量がＣ［ｄＢ］であるとすると、発振器２に対する干渉電力はＰｏｕｔ＋Ｃ［ｄＢｍ］になる。
【００３８】
例えば、発振器２が電圧で周波数を変動することができる発振器（ＶＣＯ）の場合、可変素子として、バラクタダイオードやＭＯＳキャパシタなどの可変容量が搭載される。
バラクタダイオードやＭＯＳキャパシタなど素子は、送信増幅器１０による干渉信号を包絡線検波するため、周波数がｆBBの信号（包絡線電圧）を発生する。
また、周波数ｆBBの信号の包絡線電力は、送信増幅器１０から出力される高周波信号のピークファクタＦｐ［ｄＢ］を考慮すると、ほぼＰｏｕｔ＋Ｃ＋Ｆｐになる。
発振器２のグランド点３とグランド７の間には、グランドパッド４に対する引き出し線５とグランドワイヤ６による寄生インダクタンスＬｔｏｔａｌが存在するため、発振器２のグランド点３のインピーダンスに応じた包絡線電圧が発生する。
発振器２は、電圧により発振周波数が変化するため、上記のようにして包絡線検波された周波数ｆBBの信号により、発振器２から発振されるＬＯ信号がＦＭ変調されることになる。
【００３９】
その結果、発振器２からは、周波数ｆ0のＬＯ信号の他に、周波数ｆBBの整数倍の周波数離れ信号が出力される。
また、周波数ｆBBの整数倍の周波数離れ信号は、ＬＯ信号がＦＭ変調されることにより発生する信号であるため、周波数が高い側と低い側に、位相が相互に１８０度異なる信号として複数発生することになる。
変調器２３から出力される高周波信号は、図９に示すように、周波数ｆ0，ｆL，ｆHを中心とする信号が足し合わされた信号になるが、上記の通り、ＬＯ信号はｆ0を中心にして、ｆBBの整数倍の周波数離れ信号を含む信号であるため、周波数ｆ0の高い側と低い側でレベルが異なるアンバランスな信号になる。
なお、送信増幅器１０から出力される高周波信号も、変調器２３から出力された高周波信号を増幅した信号であるため同様のスペクトルになる。
【００４０】
図１０は結合量とアンバランスの対応関係の計算結果を示す説明図である。
図９の高周波集積回路において、結合量Ｃの結合が送信増幅器１０と発振器２の間に存在する場合において、送信増幅器１０の出力波形が理想的なＡＭ変調とＦＭ変調が組み合わせたものとして計算している。
ただし、発振器２の感度が５００［ＭＨｚ／Ｖ］、発振器２のグランド点３のインピーダンスが５０Ω（Ｌｔｏｔａｌ≒１．４ｎＨ、ｆＲＦ＝５．８ＧＨｚ）、高周波信号の平均電力Ｐｏｕｔが７ｄ［Ｂｍ］であるとしている。
【００４１】
上述したように、ＡＳＫ変調の場合、周波数の高い側と低い側のアンバランスが２ｄＢ以下であれば、特性に影響がないと考えられるが、図１０に示すように、アンバランスを２ｄＢ以下にするためには、結合量Ｃが−７０ｄＢ以下である必要があることがわかる。
また、図７の計算結果より、結合量を−７０ｄＢ以下とするためには、Ｓｉ基板１の基板厚Ｔが２５０μｍ以下である必要があることがわかる。
Ｓｉ基板１の基板厚Ｔが２５０μｍ以下であれば、送信増幅器１０と発振器２の結合による悪影響を抑えることができる。
【００４２】
送信増幅器１０から出力される高周波信号のアンバランスを２ｄＢ以下にするためには、上記実施の形態２で説明したように、高周波信号の平均電力Ｐｏｕｔ［ｄＢｍ］やピークファクタＦｐ［ｄＢ］などを考慮して、Ｓｉ基板１の基板厚Ｔを規定する必要がある。
下記の不等式（２）を満足すれば、送信増幅器１０から出力される高周波信号のアンバランスを２ｄＢ以下にすることができる。
例えば、距離Ｒ＝２．３ｍｍ、搬送波周波数ｆRF＝５．８ＧＨｚ、ベースバンド周波数ｆBB＝１ＭＨｚ、平均電力Ｐｏｕｔ＝７ｄＢｍ、ピークファクタＦｐ＝３ｄＢであれば、基板厚Ｔ＝２５０μｍになる。
Ｔ  ＜  ２５０／２N  ［μｍ］                                    （２）
Ｎ＝［（Ｐｏｕｔ−７）＋（Ｆｐ−３）＋（６ｆRF／５．８）−（６Ｒ／２．３）
−６ｆBB＋（６Ｌｔｏｔａｌ／１．４）］／６
【００４３】
これにより、送信増幅器１０から出力される高周波信号のアンバランスを２ｄＢ以下にすることができるので、変調信号が数１００ＭＨｚ以上の高周波信号である場合でも、Ｓｉ基板１を介する干渉信号の回り込みを低減して、発振器２の誤動作を防止することができる効果を奏する。
【００４４】
実施の形態４．
上記実施の形態１〜３では、発振器２のグランド点３と接続されるグランドパッド４がＳｉ基板１上に１個形成され、そのグランドパッド４がグランドワイヤ６を介してグランド７に接続されているものについて示したが、図１１に示すように、発振器２のグランド点３と接続されるグランドパッド４がＳｉ基板上１に複数個形成され、複数のグランドパッド４がグランドワイヤ６を介してそれぞれグランド７に接続されるようにしてもよい。
【００４５】
ここで、図１２は発振器２におけるグランド点３とグランド７との間の寄生インダクタンスを示す説明図である。
発振器２におけるグランド点３とグランド７との間の寄生インダクタンスＬｔｏｔａｌは、引き出し線５の寄生インダクタンスＬｌｉｎｅと、グランドワイヤ６の寄生インダクタンスＬｗｉｒｅの和になる。
上述したように、干渉によるアンバランスは、発振器２のグランド点３のインピーダンスに依存し、そのインピーダンスが低くなれば、結合した干渉電圧が小さくなるため、干渉によるアンバランスを抑圧することができる。
【００４６】
この実施の形態４では、図１１に示すように、グランドパッド４とグランドワイヤ６を複数個設けているため、グランドワイヤ６の寄生インダクタンスＬｗｉｒｅが小さくなり、発振器２におけるグランド点３とグランド７との間の寄生インダクタンスＬｔｏｔａｌが小さくなる。
その結果、上記実施の形態１〜３よりも、干渉によるアンバランスを抑えることができる効果を奏する。
【００４７】
実施の形態５．
上記実施の形態４では、グランドパッド４とグランドワイヤ６を複数個設けることにより、グランドワイヤ６の寄生インダクタンスＬｗｉｒｅを小さくするものについて示したが、図１３に示すように、更に、発振器２のグランド点３をＳｉ基板１の縁部に形成するようにしてもよい。
この場合、引き出し線５を短くすることができるため、引き出し線８の寄生インダクタンスＬｌｉｎｅが小さくなり、発振器２におけるグランド点３とグランド７との間の寄生インダクタンスＬｔｏｔａｌが小さくなる。
その結果、上記実施の形態１〜４よりも、干渉によるアンバランスを抑えることができる効果を奏する。
【００４８】
実施の形態６．
上記実施の形態４では、グランドパッド４とグランドワイヤ６を複数個設けることにより、グランドワイヤ６の寄生インダクタンスＬｗｉｒｅを小さくするものについて示したが、図１４に示すように、発振器２のグランド点３をヴィアホール２４を介してグランド７に接続するようにしてもよい。
この場合、引き出し線８やグランドワイヤ６を用いずに、発振器２のグランド点３を接地することができるため、発振器２におけるグランド点３とグランド７との間の寄生インダクタンスＬｔｏｔａｌがヴィアホール２４の寄生インダクタンスＬｖｉａのみとなり、大幅に低減することができる。
これにより、上記実施の形態１〜５よりも、干渉によるアンバランスを抑えることができる効果を奏する。
【００４９】
なお、実施の形態１〜６の高周波集積回路を別の基板に実装する場合には、別の基板上の高周波集積回路の裏面が接する部分は、ヴィアホール、スルーホールなどで接地されたグランド面になっている必要がある。さらに基板上の高周波集積回路の裏面と基板上の前記グランド面とは、半田、導電性接着材、導電性シートなど、導電性のあるもので接着されている必要がある。前記基板上の高周波集積回路の裏面が接する部分がグランドでない、もしくは、さらに基板上の高周波集積回路の裏面と基板上の前記グランド面が導電性のないもので接着されている場合には、高周波集積回路基板が接地されないことによって、送信増幅器の出力とＶＣＯのグランド点との間の結合量が増大してしまい、結果として、干渉による周波数のアンバランスが増大してしまう。したがって、実施の形態１〜６の高周波集積回路を別の基板に実装する場合には、基板上の高周波集積回路基板の裏面が接する部分は、ヴィアホール、スルーホールなどで接地されたグランド面とし、かつ、基板上の高周波集積回路基板の裏面と前記基板上の前記グランド面とは、半田、導電性接着材、導電性シートなど、導電性のあるもので接着することにより十分な接地を得られ、干渉による周波数のアンバランスを抑圧することができる。
【図面の簡単な説明】
【００５０】
【図１】この発明の実施の形態１による高周波集積回路を示す構成図である。
【図２】この発明の実施の形態１による高周波集積回路の内部回路を示す回路図である。
【図３】この発明の実施の形態１による高周波集積回路の信号系を示す説明図である。
【図４】図２の高周波集積回路の出力スペクトルを示す説明図である。
【図５】平均出力電力とアンバランスの対応関係を示す説明図である。
【図６】結合量Ｃを求める電磁界解析のモデルを示す説明図である。
【図７】基板厚Ｔと結合量Ｃの対応関係の計算結果を示す説明図である。
【図８】結合量とアンバランスの対応関係の計算結果を示す説明図である。
【図９】この発明の実施の形態３による高周波集積回路の信号系を示す説明図である。
【図１０】結合量とアンバランスの対応関係の計算結果を示す説明図である。
【図１１】この発明の実施の形態４による高周波集積回路の内部回路を示す回路図である。
【図１２】発振器におけるグランド点とグランドとの間の寄生インダクタンスを示す説明図である。
【図１３】この発明の実施の形態５による高周波集積回路の内部回路を示す回路図である。
【図１４】この発明の実施の形態６による高周波集積回路の内部回路を示す回路図である。
【符号の説明】
【００５１】
１  Ｓｉ基板（シリコン基板）、２  発振器、３  グランド点、４  グランドパッド、５  引き出し線、６  グランドワイヤ、７  グランド、８  変調回路、９  入力パッド、１０  送信増幅器、１１  出力パッド、２１  ２逓倍器、２２  ＬＯアンプ、２３  変調器、２４  ヴィアホール。
【図１】
2006286839.tif 000003
【図２】
2006286839.tif 000004
【図３】
2006286839.tif 000005
【図４】
2006286839.tif 000006
【図５】
2006286839.tif 000007
【図６】
2006286839.tif 000008
【図７】
2006286839.tif 000009
【図８】
2006286839.tif 000010
【図９】
2006286839.tif 000011
【図１０】
2006286839.tif 000012
【図１１】
2006286839.tif 000013
【図１２】
2006286839.tif 000014
【図１３】
2006286839.tif 000015
【図１４】
2006286839.tif 000016